(57)【特許請求の範囲】
【請求項１】
家具本体に支持されて所定の使用領域を形成するものであって、
少なくとも一側縁側に使用縁側から反使用縁側に向けて傾斜する傾斜辺を形成した第１天板要素と、その傾斜辺に一側縁を接合又は近接させて配置した第２天板要素とを具備してなり、これら第１天板要素と第２天板要素とによって屈曲した使用領域を形成するように構成し、少なくとも第１天板要素及び第２天板要素の反使用縁を略一直線状に形成するとともに、第１天板要素及び第２天板要素の反使用縁の少なくとも両側端部に切欠部を形成していることを特徴とする天板。
【請求項２】
傾斜辺が、使用縁側から反使用縁側に向けて第１天板要素の幅寸法を漸次拡大するように傾斜するものであることを特徴とする請求項１記載の天板。
【請求項３】
傾斜辺を、略一直線状に形成していることを特徴とする請求項２記載の天板。
【請求項４】
第２天板要素が、第１天板要素を左右反転させた平面視形状をなすものであることを特徴とする請求項２又は３記載の天板。
【請求項５】
第１天板要素と第２天板要素の傾斜辺同士を接合又は近接させることによって、前記使用領域を形成していることを特徴とする請求項４記載の天板。
【請求項６】
第１天板要素と第２天板要素の各使用縁のうち傾斜辺側に、奥行き方向に向けて窪ませた凹部をそれぞれ形成し、これら凹部によって一連の凹所を形成していることを特徴とする請求項５記載の天板。
【請求項７】
第１天板要素と第２天板要素の双方が、傾斜辺側の最大奥行き寸法を反傾斜辺側の最大奥行き寸法よりも小さく設定したものであり、且つ、一枚の木製矩形原板から前記２枚の天板要素を使用縁側を相互に対向させた状態で採取したものであることを特徴とする請求項４、５又は６記載の天板。
【請求項８】
前記木製矩形原板の短辺が、天板要素における最大奥行き寸法の二倍よりも小さいものであることを特徴とする請求項７記載の天板。
【請求項９】
第１天板要素と第２天板要素とが、共通の家具本体に同時に支持されるようにしたものであることを特徴とする請求項１、２、３、４、５、６、７又は８記載の天板。
【請求項１０】
家具本体に支持されて所定の使用領域を形成するものであって、
少なくとも一側縁側に使用縁側から反使用縁側に向けて傾斜する傾斜辺を形成した第１天板要素と、その傾斜辺に一側縁を接合又は近接させて配置した第２天板要素とを具備してなり、これら第１天板要素と第２天板要素とによって屈曲した使用領域を形成するように構成し、
第２天板要素が、第１天板要素を左右反転させた平面視形状をなすものであり、
第１天板要素と第２天板要素の双方が、傾斜辺側の最大奥行き寸法を反傾斜辺側の最大奥行き寸法よりも小さく設定したものであり、且つ、一枚の木製矩形原板から前記２枚の天板要素を使用縁側を相互に対向させた状態で採取したものであることを特徴とする天板。
【請求項１１】
前記木製矩形原板の短辺が、天板要素における最大奥行き寸法の二倍よりも小さいものであることを特徴とする請求項１０記載の天板。
【発明の詳細な説明】
【０００１】
【発明の属する技術分野】
本発明は、机等の家具類に好適に適用される天板に関するものである。
【０００２】
【従来の技術】
例えば平面視概略Ｌ字型をなす天板を机に適用した場合、その屈曲する天板の一方の側縁に補助天板を配置して天板の使用領域を拡張することが従来より一般になされている。このような構成において、天板上にパソコン等を載せて使用する場合には、前記Ｌ字型天板のコーナー部分にパソコンを配置するとともにその側方にマウス等を配置して、パソコン作業を行う場合がある。
【０００３】
【発明が解決しようとする課題】
ところが、このようなものであると、前記マウスを配置する位置がちょうど天板と補助天板との境界部分にくることがある。この場合、天板と補助天板との間に若干の段差があったり、天板及び補助天板の側縁部にエッジ部材を取り付けていたりするなどして、天板と補助天板とで面一な使用面が形成されていないと、マウス操作に支障を来したり作業者の手が段差を通過する際に不快感を感じやすいという不具合がある。
【０００４】
また、このような天板を複数（例えば４つ）コーナー部分同士を集合させてモジュールとした場合、各天板とそれらに付帯させる補助天板との接合箇所がバラバラの位置に存在することとなり外観上統一感に欠けることとなる。そこで、隣接する天板同士の間で補助天板との接合箇所を統一することも考えられるが、そのようにすると却って部品点数が増加するなどの不具合が生じることになる。
【０００５】
【課題を解決するための手段】
本発明は、以上のような不具合に鑑みて、少なくとも一つの天板構成要素の一側縁を反使用縁側に傾斜させることによって、快適なパソコン作業ができ外観も良好な天板を構成するものである。
【０００６】
【発明の実施の形態】
すなわち、本発明の天板は、家具本体に支持されて所定の使用領域を形成するものであって、少なくとも一側縁側に使用縁側から反使用縁側に向けて傾斜する傾斜辺を形成した第１天板要素と、その傾斜辺に一側縁を接合又は近接させて配置した第２天板要素とを具備してなり、これら第１天板要素と第２天板要素とによって屈曲した使用領域を形成するように構成し、少なくとも第１天板要素及び第２天板要素の反使用縁を略一直線状に形成するとともに、第１天板要素及び第２天板要素の反使用縁の少なくとも両側端部に切欠部を形成していることを特徴とする。
【０００７】
このような構成のものであれば、第１天板要素の一側縁に形成した傾斜辺に第２天板要素の一側縁を接合などすることで、例えばＬ字型等に屈曲する天板の使用領域を容易に形成できることとなる。さらに、第１天板要素と第２天板要素とで形成される屈曲した天板のコーナー部にパソコン等を配置すれば、そのパソコンがちょうど第１天板要素と第２天板要素との境界を跨ぐ格好となるため、パソコンに付帯して使用されるマウスにとっては前記境界が障害とならず、適切なマウス操作を行うことができ、さらには境界をパソコンで有効に隠し得ることにもなる。また、パソコン等の荷重は第１天板要素と第２天板要素とに分散されて支持されることとなり、いずれか一方の天板要素に偏って支持されることによるその天板要素の反りや不安定さも解消される。
【０００８】
このような構成のものにおいて、第１天板要素と第２天板要素とで形成される前記コーナー部の内角側を有効な使用縁側に設定するためには、傾斜辺が、使用縁側から反使用縁側に向けて第１天板要素の幅寸法を漸次拡大するように傾斜するものであることが望ましい。
【０００９】
この場合、両天板要素の製造を容易なものとし、第１天板要素の傾斜辺に第２天板要素を接合などする作業も簡単なものとするためには、傾斜辺を、略一直線状に形成していることが有効となる。
【００１０】
第２天板要素の好ましい具体的形状としては、第１天板要素を左右反転させた平面視形状をなすものが挙げられる。
【００１１】
その場合は、第２天板要素の少なくとも一側縁にも傾斜辺が形成されるため、天板の有用な使用領域を形成するためには、第１天板要素と第２天板要素の傾斜辺同士を接合又は近接させることによって、前記使用領域を形成することが望ましい。また、このようにすることで、形成された天板をコーナー部の反使用縁側でモジュール的に複数集合させた場合、各天板における第１天板要素と第２天板要素の境界（傾斜辺同士の接合部位）がコーナー部に集合することとなるため、外観上の統一感も得られることになる。
【００１２】
さらに、使用者が天板のコーナー部における使用縁に接近してパソコン作業などを行いやすくするためには、第１天板要素と第２天板要素の各使用縁のうち傾斜辺側に、奥行き方向に向けて窪ませた凹部をそれぞれ形成し、これら凹部によって一連の凹所を形成していることが好ましい。
【００１３】
このような形状の両天板要素の製造を容易化するためには、第１天板要素と第２天板要素の双方において、傾斜辺側の最大奥行き寸法を反傾斜辺側の最大奥行き寸法よりも小さく設定し、且つ、一枚の木製矩形原板から前記２枚の天板要素を使用縁側を相互に対向させた状態で採取したものとすることが有効である。このようにすることで、原板から採取した両天板要素は表裏が逆なだけで同一形状を有しているため、その後の加工工程までは同じものとして取り扱うことができるため、製品の品番の削減できることになる。また、原板からは少しの端材が生じるだけで２枚の天板要素を有効に採取することができて資源の有効利用にもなるうえ、両天板要素の木目方向が同一となるため、意匠的にも良好な天板を形成できることとなる。特にこの場合、原板から生じる端材をより少なくするためには、原板の短辺を、天板要素における最大奥行き寸法の二倍よりも小さいものとすることもできる。
【００１４】
以上のような構成の天板において、少ない部品点数で両天板要素を有効に安定支持されるようにするためには、第１天板要素と第２天板要素とが、共通の家具本体に同時に支持されるようにすることが好ましい。
また、好適な実施態様としては、家具本体に支持されて所定の使用領域を形成するものであって、少なくとも一側縁側に使用縁側から反使用縁側に向けて傾斜する傾斜辺を形成した第１天板要素と、その傾斜辺に一側縁を接合又は近接させて配置した第２天板要素とを具備してなり、これら第１天板要素と第２天板要素とによって屈曲した使用領域を形成するように構成し、第２天板要素が、第１天板要素を左右反転させた平面視形状をなすものであり、第１天板要素と第２天板要素の双方が、傾斜辺側の最大奥行き寸法を反傾斜辺側の最大奥行き寸法よりも小さく設定したものであり、且つ、一枚の木製矩形原板から前記２枚の天板要素を使用縁側を相互に対向させた状態で採取したものであることを特徴とする天板が挙げられる。この場合、前記木製矩形原板の短辺が、天板要素における最大奥行き寸法の二倍よりも小さいものであることが好ましい。
【００１５】
【実施例】
以下、本発明の一実施例を、図１〜図６を参照して説明する。
【００１６】
この実施例は、図１に示す机１に適用され家具本体たる机本体３に支持された天板２である。
【００１７】
まず、机本体３は、図１〜図３に示すように、相互に略直角をなして床面に配置される第１支持部３Ａ及び第２支持部３Ｂと、これら両支持部３Ａ、３Ｂを連結する中間支柱３１及び補強桟３２とから構成している。第１支持部３Ａは、第２支持部３Ｂと連結されない側において床面に接地されるベース３Ａ１と、このベース３Ａ１上に起立状態で支持される側板３Ａ２と、側板３Ａ２の上端部に取り付けたステー３Ａ３と、ステー３Ａ３の内側面側に一端部を取り付けられて略水平に延び他端部を中間支柱３１の上端部３１ａに取り付けた角パイプ材からなる横架材３Ａ４とから構成している。一方、第２支持部３Ｂは第１支持部３Ａと同一の構成を有するものであり、第１支持部３Ａとは左右が異なるのみで同様のベース３Ｂ１、側板３Ｂ２、ステー３Ｂ３、及び横架材３Ｂ４を備えている。このような第１支持部３Ａと第２支持部３Ｂとを略直角をなして連結するために、中間支柱３１を前記ステー３Ａ３、３Ｂ３の上端部と略同一の高さ寸法を有する角パイプ材からなるものとし、その隣接する側壁における上端部３１ａに横架材３Ａ４、３Ｂ４の端部を取り付けるようにしている。その際、該上端部３１ａには、略水平に突出する図示しない突起部を設け、これら突起部に横架材３Ａ４、３Ｂ４の端部を挿入した位置でボルト止めするなどして、この中間支柱３１を介して第１支持部３Ａと第２支持部３Ｂとを連結している。補強桟３２は、板金素材を遡性変形加工することにより水平壁３２ａと前後一対の起立壁３２ｂとを形成した上向きに開口するチャネル材である。そして、補強桟３２の水平壁３２ａにおける両側端部にナット３２Ｎを溶接などにより固定するとともに、両横架材３Ａ４、３Ｂ４には中間支柱３１から等距離離れた箇所に上下に貫通するボルト挿入孔３Ａ４ａ、３Ｂ４ａをそれぞれ形成し、補強桟３２を両横架材３Ａ４、３Ｂ４に載せた状態で下方からボルト挿入孔３Ａ４ａ、３Ｂ４ａにボルト３２Ｂを挿入して前記ナット３２Ｎに締め付けることで、両横架材３Ａ４、３Ｂ４及び補強桟３２によって中間支柱３１を直角の頂点とする平面視略直角二等辺三角形をなすように、補強桟３２を取り付けている。このようにすることで、第１支持部３Ａと第２支持部３Ｂとを、強固に略直角をなした状態で連結している。
【００１８】
天板２は、図１〜図５に示すように、平面視概略矩形状をなす木製平板状の２枚の天板要素２Ａ、２Ｂからなる。なお、ここでは説明の便宜上、前記第１支持部３Ａ側に支持される天板要素を第１天板要素２Ａ、第２支持部３Ｂ側に支持される天板要素を第２天板要素２Ｂと称する。
【００１９】
第１天板要素２Ａは、略一直線状に延び前記ステー３Ａ３から中間支柱３１までの距離と略同一長さを有する一辺を反使用縁２Ａｂとし、その一辺と略直交し前記ステー３Ａ３よりも若干長い寸法を有する一辺を外側縁２Ａｃとしたものである。そして、内側縁２Ａｄ側に、使用縁２Ａａ側から反使用縁２Ａｂ側に向けて幅寸法を漸次拡大するように一直線状に傾斜する傾斜辺２Ａ１を形成し、その傾斜辺２Ａ１と反使用縁２Ａｂとがなす角度を略４５°となるように設定している。また、使用縁２Ａａのうち内側縁２Ａｄ側に、部分円弧状に滑らかに湾曲させて外側縁側よりも奥行き寸法を小さくした凹部２Ａ２を形成している。さらに、第１天板要素２Ａの下面には、図３〜図５に示すように、この第１天板要素２Ａを机本体３に取り付けた位置で前記補強桟３２と対応するように、傾斜辺２Ａ１と略直交する溝部２Ａ３を形成している。この溝部２Ａ３は、補強桟３２の一対の起立壁３２ｂを挿入し得るように下方に開口した一対の細長い溝条２Ａ３ａからなり、傾斜辺２Ａ１側の端部をその傾斜辺２Ａ１を構成している内側面に開放し、両溝条２Ａ３ａの反対側の端部を底面視矩形状に連続させて補強桟３２のナット３２Ｎを逃がすようにしている。しかして、これら溝部２Ａ３と補強桟３２の起立壁３２ｂとによって、第１天板要素２Ａを机本体３に取り付けた位置で移動不能に保持する係り合い部Ｘを形成している。また、下面における溝部２Ａ３よりも使用縁２Ａａ側には、傾斜辺２Ａ１に沿って下方に開口する底面視矩形状の穴部２Ａ４を形成しており、この穴部２Ａ４を内側面に向けて形成した断面略円形の貫通孔２Ａ４ａを通じて内側方に連通させている。さらに、下面側における両溝条２Ａ３ａの間の平坦部分は、該下面よりも補強桟３２の水平壁３２ａの厚み分だけ上方に位置づけて、第１天板要素２Ａがステー３Ａ３及び横架材３Ａ４に確実に接した状態で支持されるようにしている。
【００２０】
一方、第２天板要素２Ｂは、前記第１天板要素２Ａをちょうど左右反転させた平面視形状を有するもので、第１天板要素２Ａと同様に内側縁２Ｂｄ側に傾斜辺２Ｂ１を具備しており、その傾斜辺２Ｂ１を第１天板要素２Ａの傾斜辺２Ａ１に接合させた状態で机本体３に取り付けられる。そのため、第２天板要素２Ｂにも、第１天板要素２Ａと同様の構成の溝部２Ａ３や穴部２Ａ４及び貫通孔２Ｂ４ａ等を設けており、傾斜辺２Ａ１、２Ｂ１同士を接合した状態で、第１天板要素２Ａと第２天板要素２Ｂの溝部２Ａ３、２Ｂ３同士が一直線状に連続し、また、穴部２Ａ４、２Ｂ４同士が両貫通孔２Ａ４ａ、２Ｂ４ａを通じて連通するようにしている。そして、一方の穴部２Ａ４にナットＮを待機させるとともに、他方の穴部２Ｂ４にはボルトＢを収容してその軸部を貫通孔２Ａ４ａ、２Ｂ４ａに挿入しナットＮに締め付けることによって、両天板要素２Ａ、２Ｂを略直交するように連結している。このようにすることで、前記接合部分で略直角に屈曲する使用領域２Ｓを備えた天板２を構成している。
【００２１】
なお、両天板要素２Ａ、２Ｂの反使用縁２Ａｂ、２Ｂｂにおける両側端部及び幅方向略中央部には切欠部２Ａ５、２Ｂ５を形成し、各切欠部２Ａ５、２Ｂ５をそれぞれに対応する形状の樹脂製等のカバー２Ｃで隠すようにしている。これら切欠部２Ａ５、２Ｂ５は、前記横架材３Ａ４、３Ｂ４に図示しないデスクトップパネルや棚、電気スタンド等のオプション部材を支持させるためのポールを起立状態で取り付ける際に、該ポールが天板要素２Ａ、２Ｂと干渉しないようにするために形成したものである。
【００２２】
このような第１天板要素２Ａ及び第２天板要素２Ｂは、以下のようにして一枚の木製矩形原板４から採取したものである。すなわち、図６に実線で示す原板４は、所定規格（ここでは例えば１２００ｍｍＸ２４００ｍｍＸ３０ｍｍ）の平面視長方形状をなすもので、一対の対角を挟む辺にそれぞれ第１天板要素２Ａと第２天板要素２Ｂの反使用縁２Ａｂ、２Ｂｂ及び外側縁２Ａｃ、２Ｂｃを設定している。このとき、両天板要素２Ａ、２Ｂは机１の規格に対応して、反使用縁２Ａｂ、２Ｂｂの寸法を約１６００ｍｍ、外側縁２Ａｃ、２Ｂｃの寸法を約７００ｍｍに設定しているため、原板４の短辺４２側に天板要素２Ａ、２Ｂの外側縁２Ａｃ、２Ｂｃを対応させ、長辺４１側に反使用縁２Ａｂ、２Ｂｂを対応させている。また、上述のように両天板要素２Ａ、２Ｂには使用縁２Ａａ、２Ｂａの内側端部２Ａｄ、２Ｂｄ側にそれぞれ前記凹部２Ａ２、２Ｂ２を形成しているため、その内側端縁２Ａｄ、２Ｂｄ側における最大奥行き寸法ｄ２が前記外側縁２Ａｃ、２Ｂｃ側の奥行き寸法ｄ１よりも小さく（例えば５８０ｍｍ）なるようにしている。そして、このような天板要素２Ａ、２Ｂは、互いに使用縁２Ａａ、２Ｂａ側を対向させた姿勢で原板４から採取される。なお、従来の長方形状或いはＬ字形状をなす天板であると、このような規格の原板４からは一枚の天板要素しか採取することができず、端材が多量に発生し無駄が多いという不具合が生じる。ところが、本実施例では天板要素２Ａ、２Ｂを上記のような形状にしているので、例えば上述したものとは異なる規格の原板４Ｘ、つまり同図に想像線で示すような長辺がより短いものであっても、さらに端材の発生を抑制しつつ有効に２枚の天板要素２Ａ、２Ｂを採取することもできる。しかして、このようにして採取された２枚の天板要素２Ａ、２Ｂは同一形状をなすものであり、前記溝部２Ａ３、２Ｂ３等を形成したり塗装を施したりするまでは同一品番のものとして取り扱われ、これらを第１天板要素２Ａと第２天板要素２Ｂとして適用する際には、双方の相反する側の面に加工が行われる。
【００２３】
しかして、この机１を組み立てる際には、まず、第１支持部３Ａと第２支持部３Ｂとを中間支柱３１を介して一体的に連結し、さらに両支持部３Ａ、３Ｂの横架材３Ａ４、３Ｂ４に補強桟３２を掛け渡してボルト３２Ｂで止めることによって、机本体３を組み立てる。このようにして組み立てた机本体３に対して、第１支持部３Ａのステー３Ａ３及び横架材３Ａ４に第１天板要素２Ａを載せ、溝部２Ａ３に補強桟３２の起立壁３２ｂを挿入した位置で、下方から第１天板要素２Ａをステー３Ａ３や横架材３Ａ４の適宜箇所にボルト止めして固定する。一方、第２天板要素２Ｂも同様にして溝部２Ｂ３に補強桟３２の起立壁３２ｂを挿入した位置で第２支持部３Ｂに固定する。さらに、その状態で穴部２Ａ４、２Ｂ４に収容したボルトＢ及びナットＮを用いて両天板要素２Ａ、２Ｂを連結することで、机１が完成する。
【００２４】
また、この机１においてパソコンＰを好適に使用するには、図４に想像線で示すように、組み立てられた天板２のうち両天板要素２Ａ、２Ｂによって形成されるコーナー部ＺにパソコンＰ等を配置する。その際、パソコンＰ及びそれと共に使用されるキーボードＫを、相互に接合された両天板要素２Ａ、２Ｂの傾斜辺２Ａ１、２Ｂ１を跨ぐように配置し、その側方にマウスＭを配置するようにする。この場合、使用縁２Ａａ、２Ｂａにおけるコーナー部Ｚには、両天板要素２Ａ、２Ｂに形成した凹部２Ａ２、２Ｂ２が一体的に連続して天板２の使用領域２Ｓが反使用縁側２Ａｂ、２Ｂｂに後退した凹所２Ｙが形成されることになり、使用者は十分に天板１上のパソコンＰに接近して、キーボードＫやマウスＭの操作を行い得ることとなる。
【００２５】
以上のような構成からなる本実施例の天板２は、第１天板要素２Ａの内側縁２Ａｄ側に形成した傾斜辺２Ａ１に、第２天板要素２Ｂの内側縁２Ｂｄを接合させて略直角に屈曲する天板２の使用領域２Ｓを形成している。したがって、この天板２のコーナー部Ｚに配置したパソコンＰがちょうど両天板要素２Ａ、２Ｂの境界を跨ぐ格好となるため、その境界がパソコンＰの側方に配置されるマウスＭの操作の障害とならないようにし、また境界をパソコンＰで適切に隠すことができる。また、パソコンＰの荷重を両天板要素２Ａ、２Ｂに分散して支持させることで、偏りなく安定的にパソコンＰを支持することが可能となり、天板要素２Ａ、２Ｂの反り等も防止できる。
【００２６】
また、傾斜辺２Ａ１が傾斜する方向を、使用縁２Ａａ側から反使用縁２Ａｂ側に向けて第１天板要素２Ａの幅寸法を漸次拡大する方向に設定しているので、両天板要素２Ａ、２Ｂがなすコーナー部Ｚの内角側を使用縁２Ａａ、２Ｂａとして設定し、屈曲した使い勝手のよい使用領域２Ｓを有効に形成することができる。
【００２７】
さらに、傾斜辺２Ａ１は略一直線状に形成したものであるため、両天板要素２Ａ、２Ｂが容易に製造でき、両者を確実に接合することも容易にできる。
【００２８】
また、第２天板要素２Ｂは、第１天板要素２Ａを左右反転させた平面視形状をなし内側縁側に傾斜辺２Ｂ１を有するものであり、両天板要素２Ａ、２Ｂの傾斜辺２Ａ１、２Ｂ１同士で接合しているので、傾斜辺２Ａ１、２Ｂ１を境にして線対称な見栄えのよい天板２を構成することができる。そして、このように形成された天板２を４つコーナー部Ｚの反使用縁２Ａｂ、２Ｂｂ側でモジュール的に集合させると、傾斜辺２Ａ１、２Ｂ１同士の接合部位がそのコーナー部Ｚで集合することとなるため、接合部の統一を図るためにわざわざ天板要素の枚数を増やす必要もなくなり、少ない天板要素の枚数で有効に外観を向上することができる。
【００２９】
さらに、両天板要素２Ａ、２Ｂの各使用縁２Ａａ、２Ｂａのうち内側縁２Ａｄ、２Ｂｄ側に凹部２Ａ２、２Ｂ２をそれぞれ形成し、それらを連続させて凹所２Ｙを形成しているので、使用者がその凹所２Ｙの前方に着座すれば天板２に接近して、パソコン作業を楽な姿勢で行うことができる。
【００３０】
また、両天板要素２Ａ、２Ｂは、傾斜辺２Ａ１、２Ｂ１側における最大奥行き寸法ｄ２を外側縁２Ａｃ、２Ｂｃ側における最大奥行き寸法ｄ１よりも小さく設定したものであって、使用縁２Ａａ、２Ｂａ同士を対向させた状態で一枚の木製矩形原板４から採取している。したがって、原板４から生じる端材を有効に減らして資源の有効利用や廃棄物の減量を図るとともに、同一形状の２枚の天板要素２Ａ、２Ｂを採取してその後に加工を施すまでは同一品番のものとして取り扱うことができるので、部品点数を有効に削減することができる。また、両天板要素２Ａ、２Ｂの木目方向が揃うように原板４から採取しているので、これら天板要素２Ａ、２Ｂを接合して極めて見栄えのよい天板２を形成することができる。さらに、原板４の短辺４２は天板要素２Ａ、２Ｂにおける最大奥行き寸法ｄ１の二倍よりも小さいものであるが、上記のような構成によって二枚の天板要素２Ａ、２Ｂを有効に採取することができ、原板４の使用枚数や端材の削減をより有効に図ることもできる。
【００３１】
また、両天板要素２Ａ、２Ｂは共通の机本体３に同時に支持されているため、支持構造の共有化により天板２の支持における安定性を損なうことなく有効にコストダウンを図ることもできる。
【００３２】
なお、本発明では上記実施例のように第１天板要素と第２天板要素とを必ずしも左右反転した同形状のものとする必要はなく、少なくとも一方の天板要素の一側縁に傾斜辺を形成しているものであれば、上記実施例と同様の効果を得ることができるものである。また、天板要素の両側縁に傾斜辺を形成することもできる。その他、各部の具体的構成についても上記実施例に限られず、本発明の趣旨を逸脱しない範囲で種々変形が可能である。
【００３３】
【発明の効果】
本発明は、以上説明したような形態で実施され、以下に記載されるような効果を奏する。
【００３４】
すなわち、本発明の天板は、第１天板要素の少なくとも一側縁側に形成した傾斜辺に、第２天板要素の一側縁を接合又は近接させることによって、屈曲した天板の使用領域を形成するように構成し、少なくとも第１天板要素及び第２天板要素の反使用縁を略一直線状に形成するとともに、第１天板要素及び第２天板要素の反使用縁の少なくとも両側端部に切欠部を形成している。このように構成することで、形成された天板の屈曲するコーナー部にパソコン等を配置した場合、そのパソコンがちょうど第１天板要素と第２天板要素との境界を跨いで境界を隠す格好となるため、たとえ前記境界に若干の段差があってもパソコンの側方で使用されるマウスの障害となららないようにして、適切なマウス操作を行うことが可能である。また、パソコン等の荷重を第１天板要素と第２天板要素とに分散して支持させることができるため、偏りなく安定した支持が可能で、天板要素の反り等も防止することができる。
【００３５】
特に、傾斜辺が傾斜する方向を、使用縁側から反使用縁側に向けて第１天板要素の幅寸法を漸次拡大する方向に設定している場合には、第１天板要素と第２天板要素とがなすコーナー部の内角側を使用縁として有効に設定し、屈曲した有用な使用領域とすることができる。
【００３６】
さらに、傾斜辺を、略一直線状に形成した場合には、両天板要素の製造を容易なものとし、第１天板要素の傾斜辺に第２天板要素の一側縁を十分に近接させて接合することも容易に行うことができる。
【００３７】
また、このような構成の本発明では、第２天板要素の形状として、第１天板要素を左右反転させた平面視形状をなすものとして、第２天板要素の少なくとも一側縁にも傾斜辺を具備させることができる。
【００３８】
この場合、両天板要素の傾斜辺同士を接合又は近接させると、両天板要素の間に隙間が生じず且つ所定の角度で屈曲する天板を容易に形成することができる。そして、このように形成された複数の天板をコーナー部の反使用縁側でモジュール的に集合させた場合、第１天板要素と第２天板要素の境界、すなわち傾斜辺同士の接合部位が前記コーナー部に集合するため、天板要素の枚数を必要以上に増やすことなく適切に外観上の統一を図ることができる。
【００３９】
さらに、第１天板要素と第２天板要素の各使用縁のうち傾斜辺側に、両天板要素に連続する凹所を形成している場合には、使用者がその凹所からコーナー部における使用縁に接近することが容易となり、パソコン作業などを楽な姿勢で行うことが可能である。
【００４０】
そして、両天板要素の傾斜辺側における最大奥行き寸法を反傾斜辺側における最大奥行き寸法よりも小さく設定し、且つ、一枚の木製矩形原板から前記２枚の天板要素を使用縁側を相互に対向させた状態で採取するようにした場合、原板から採取した両天板要素は表裏が逆で同一形状を有するものとなり、その後に加工を施すまでは同一品番のものとして取り扱うことができる。また、このように天板要素を採取すれば、両天板要素の木目方向を同じ方向に揃うため、これら天板要素を接合すれば良好な外観の天板を形成することができる。さらに、このようにすれば原板からは生じる端材を減らしつつ２枚の天板要素を有効に採取することができるので、資源の有効利用や廃棄物の減量にも寄与することができる。特にこの場合、原板の短辺を天板要素における最大奥行き寸法の二倍よりも小さいものとしても二枚の天板要素を有効に採取することができ、原板から生じる端材をさらに少なくすることが可能である。
【００４１】
以上のような構成において、両天板要素を共通の家具本体に同時に支持させるようにしている場合には、両天板要素の支持構造を共通化することで少ない部材での天板の支持が可能である。
【図面の簡単な説明】
【図１】本発明の一実施例を適用した机を示す斜視図。
【図２】同実施例の机を分解して示す斜視図。
【図３】図２における要部を拡大して示す斜視図。
【図４】同実施例の一使用例を示す平面図。
【図５】図４におけるＶ−Ｖ線断面図。
【図６】同実施例の天板を採取するための原板を示す平面図。
【符号の説明】
２…天板
２Ａ…第１天板要素
２Ａａ…使用縁
２Ａｂ…反使用縁
２Ａｄ…一側縁（内側縁）
２Ａ１…傾斜辺
２Ａ２…凹部
２Ｂ…第２天板要素
２Ｂａ…使用縁
２Ｂｂ…反使用縁
２Ｂｄ…一側縁（内側縁）
２Ｂ１…傾斜辺
２Ｂ２…凹部
２Ｓ…使用領域
２Ｙ…凹所
３…家具本体（机本体）
４…原板
【図１】
0003714107.tif 000002
【図２】
0003714107.tif 000003
【図３】
0003714107.tif 000004
【図４】
0003714107.tif 000005
【図５】
0003714107.tif 000006
【図６】
0003714107.tif 000007